(57)【特許請求の範囲】
【請求項１】
複数の異なる貨物を集配する物流サービスにおいて、
貨物毎に前記貨物の内容情報を格納したＩＣタグを貼付し、
前記貨物をパレットに積み込む際に、第１の無線通信装置を設置したＩＣタグゲートシステムにより、前記ＩＣタグから前記貨物の内容情報を読取り、
前記パレットに設置した第２の無線通信装置が、前記第１の無線通信装置から送られる貨物毎の内容情報を集計して、前記パレット全体の貨物情報として記憶し、
前記パレットをトラックに積み込む際、または下ろす際に、パレットがくぐるゲートシステムに設置した第３の無線通信装置が、前記パレットに設置した第２の無線通信装置から前記パレット全体の貨物情報を読取り、
トラックに設置した第４の無線通信装置が、前記第３の無線通信装置から送られるパレット毎の貨物情報を集計して、トラック全体の貨物情報として記憶することを特徴とする物流管理システム。
【請求項２】
前記トラックが配送センターを出発する際、または到着する際に、トラックがくぐるゲートシステムに設置した第５の無線通信装置が、前記トラックに設置した第４の無線通信装置から送られる、トラック全体の貨物情報を獲得し、
配送センターのコンピュータが、前記ゲートシステムから送られる、トラック全体の貨物情報を記憶して管理することを特徴とする請求項１に記載された物流管理システム。
【請求項３】
前記第４の無線通信装置が集計して記憶するトラック全体の貨物情報を、既にトラックに積み込まれている各パレットの前記第２の無線通信装置にも送ることを特徴とする請求項１に記載された物流管理システム。
【請求項４】
前記無線通信装置は、ブルートゥースで通信を行うことを特徴とする請求項１から３までのいずれかに記載された物流管理システム。
【発明の詳細な説明】
【０００１】
【発明の属する技術分野】
本発明は、ＩＣタグとブルートゥース（以下、「Ｂｌｕｅ  Ｔｏｏｔｈ」（登録商標）と表記する。）技術を組み合わせて用いた物流管理システムに関するものである。
【０００２】
【従来の技術】
従来は、２次元バーコードや非接触ＩＣタグを利用した館内における物流システムが開発されているが、発送側館内、館外、受取側館内を通しての統一規格はない。
【０００３】
【発明が解決しようとする課題】
しかしながら、館外で大型トラックから小形トラックへのパレット単位での貨物の積み替え作業中にパレットを取り違えることがよくあり、発送側館内と受取側館内で各トラックの貨物内容を把握していても、このような場合には、複数の異なる貨物を多量に集配する物流サービスにおいて、貨物集荷から配送時における個々の貨物の所在管理は非常に困難である。
【０００４】
本発明は、このような問題に鑑みてなされたもので、貨物集荷から配送時における個々の貨物の所在管理と運搬後のルート追跡を容易に行うことができる、物流管理システムを提供することにある。
【０００５】
【課題を解決するための手段】
前述した目的を達成するため、請求項１記載の発明は、複数の異なる貨物を集配する物流サービスにおいて、貨物毎に前記貨物の内容情報を格納したＩＣタグを貼付し、前記貨物をパレットに積み込む際に、第１の無線通信装置を設置したＩＣタグゲートシステムにより、前記ＩＣタグから前記貨物の内容情報を読取り、前記パレットに設置した第２の無線通信装置が、前記第１の無線通信装置から送られる貨物毎の内容情報を集計して、前記パレット全体の貨物情報として記憶し、前記パレットをトラックに積み込む際、または下ろす際に、パレットがくぐるゲートシステムに設置した第３の無線通信装置が、前記パレットに設置した第２の無線通信装置から前記パレット全体の貨物情報を読取り、トラックに設置した第４の無線通信装置が、前記第３の無線通信装置から送られるパレット毎の貨物情報を集計して、トラック全体の貨物情報として記憶することを特徴とする物流管理システムである。
【０００６】
請求項１記載の発明により、貨物をパレットに積み込む際に、ＩＣタグゲートシステムをくぐらせて貨物の内容情報を格納したＩＣタグを読み取ると同時に、ＩＣタグゲートシステムに設置された無線通信装置がその情報をパレットに設置された無線通信装置に送る。パレットに設置された無線通信装置は、各貨物の内容情報を集計して、パレット全体の貨物情報として記憶する。更に、パレットをトラックに積み込む際、または下ろす際に、トラックに設置した無線通信装置が、パレットの無線通信装置からゲートシステムに設置した無線通信装置を介して送られるパレット毎の貨物情報を集計して、トラック全体の貨物情報として記憶する。
【０００９】
請求項２記載の発明は、前記トラックが配送センターを出発する際、または到着する際に、トラックがくぐるゲートシステムに設置した第５の無線通信装置が、前記トラックに設置した第４の無線通信装置から送られる、トラック全体の貨物情報を獲得し、配送センターのコンピュータが、前記ゲートシステムから送られる、トラック全体の貨物情報を記憶して管理することを特徴とする請求項１に記載された物流管理システムである。
【００１０】
請求項２記載の発明により、トラックが配送センターを出発する際、または到着する際に、トラックがくぐるゲートシステムに設置した無線通信装置が、トラックの無線通信装置から送られるトラック全体の貨物情報を獲得し、配送センターのコンピュータは、ゲートシステムから送られる各トラックの貨物情報を記憶して管理する。
【００１１】
【発明の実施の形態】
以下、図に基づいて本発明の実施の形態を詳細に説明する。図１は、配送センター館内における物流管理システム１の構成を示す図である。物流管理システム１は、ＩＣタグとＢｌｕｅ  Ｔｏｏｔｈ技術を組み合わせて用いており、貨物、パレット、及びトラックが通過するゲートと、貨物を積み込むパレット、パレットを積み込むトラック等のそれぞれに、Ｂｌｕｅ  Ｔｏｏｔｈ技術を用いた端末装置を設置し、貨物の積み下ろしの際に、それらの端末装置間で自動的に無線通信による情報交換を行い、更にコンピュータによりそれらの情報を管理するものである。
【００１２】
図１に示すように、物流管理システム１は、貨物３に貼付されたＩＣタグ５、ＩＣタグゲートシステム７、ＩＣタグゲートシステム７に設置されたＢｌｕｅ  Ｔｏｏｔｈ端末９、パレット１１に設置されたＢｌｕｅ  Ｔｏｏｔｈ端末１３、パレットゲートシステム１２、パレットゲートシステム１２に設置されたＢｌｕｅ  Ｔｏｏｔｈ端末１４、トラック１５に設置されたＢｌｕｅ  Ｔｏｏｔｈ端末１７、ゲートシステム１９、ゲートシステム１９に設置されたＢｌｕｅ  Ｔｏｏｔｈ端末２１、配送センターのコンピュータ２３及び貨物搭載情報データベース２５等から構成される。
【００１３】
ここで、Ｂｌｕｅ  Ｔｏｏｔｈ端末９、Ｂｌｕｅ  Ｔｏｏｔｈ端末１３、Ｂｌｕｅ  Ｔｏｏｔｈ端末１７、Ｂｌｕｅ  Ｔｏｏｔｈ端末２１は、無線通信装置であり、約１０ｍ程度内にある他のＢｌｕｅ  Ｔｏｏｔｈ端末と無線通信を行う。
【００１４】
ＩＣタグ５は、出荷時、個々の貨物３に貼付される、貨物の品名、重量、届け先等の内容情報を格納した非接触型データキャリアである。１台のトラック１５に積み込まれる複数の貨物３は、ベルトコンベア等で運ばれＩＣタグゲートシステム７を通過した後、幾つかのパレット１１に積み込まれてからフォークリフト等でパレットごとトラック１５に積み込まれる。ＩＣタグゲートシステム７は、通過する貨物３のＩＣタグ５の情報を読取ると同時に、Ｂｌｕｅ  Ｔｏｏｔｈ端末９からパレット１１のＢｌｕｅ  Ｔｏｏｔｈ端末１３へ情報を送る。
【００１５】
パレット１１のＢｌｕｅ  Ｔｏｏｔｈ端末１３は、ＩＣタグゲートシステム７のＢｌｕｅ  Ｔｏｏｔｈ端末９から貨物３のＩＣタグ５の情報が送られる度に、それらの情報を集約し、１つのパレット全体の貨物情報として格納する。また、トラック１５への積み下ろし時、パレットゲートシステム１２に設置されたＢｌｕｅ  Ｔｏｏｔｈ端末１４を介してトラック１５のＢｌｕｅ  Ｔｏｏｔｈ端末１７へパレットの貨物情報を送ると同時に、トラック１５のＢｌｕｅ  Ｔｏｏｔｈ端末１７から送られるトラック全体の貨物情報を格納する。
【００１６】
トラック１５のＢｌｕｅ  Ｔｏｏｔｈ端末１７は、パレットゲートシステム１２のＢｌｕｅ  Ｔｏｏｔｈ端末１４からパレットの貨物情報が送られる度にそれらの情報を集約し、トラック全体の貨物情報として格納すると同時に、搭載している全てのパレット１１のＢｌｕｅ  Ｔｏｏｔｈ端末１３に、トラック全体の貨物情報を送る。また、配送センター出発、及び到着時、ゲートシステム１９を通過する際に、ゲートシステム１９のＢｌｕｅ  Ｔｏｏｔｈ端末２１にトラック１５の貨物情報を送る。
【００１７】
ゲートシステム１９は、Ｂｌｕｅ  Ｔｏｏｔｈ端末２１を用いて通過するトラック１５の貨物情報をＢｌｕｅ  Ｔｏｏｔｈ端末１７から受け取り、配送センターのコンピュータ２３へ送る。配送センターのコンピュータ２３は、ゲートシステム１９を通過した全てのトラック１５の貨物情報を保持する貨物搭載情報データベース２５を有し、ゲートシステム１９からトラック１５の貨物情報が送られる度に、貨物搭載情報データベース２５を更新する。
【００１８】
図２は、発送側館内、館外、及び受取側館内における物流管理システム１の構成を示す図であり、発送側館内、館外、及び受取側館内を通して図１を用いて説明したと同様の処理が行われる。発送側のコンピュータ２３ａと受取側のコンピュータ２３ｂは、インターネット等のネットワーク２７を介して接続され、受取側のコンピュータ２３ｂからも貨物搭載情報データベース２５の更新が行われる。また、トラック１５はコンピュータ２３との通信手段を有し、館外でパレット１１の積み下ろしをしたときは、下ろしたパレット１１の貨物情報をコンピュータ２３へ送る。
【００１９】
次に、図３を用いて物流管理システム１における処理手順について説明する。
個々の貨物３には、予め、貨物の品名、重量、届け先等の内容情報を格納したＩＣタグ５が貼付されており、この例では、貨物３をパレット単位で搭載したトラック１５が発送側配送センターから出発し、途中、小型トラックに貨物３をパレット単位で積み替え、残りの貨物３を受取側配送センターへ届けるものとする。
【００２０】
ベルトコンベア等で運ばれて来た貨物３がＩＣタグゲートシステム７を通過すると、ＩＣタグゲートシステム７は、ＩＣタグ５の情報を読取ると同時に、Ｂｌｕｅ  Ｔｏｏｔｈ端末９からパレット１１のＢｌｕｅ  Ｔｏｏｔｈ端末１３へ読み取った情報を送る（ステップ３０１）。パレット１１のＢｌｕｅ  Ｔｏｏｔｈ端末１３は、ＩＣタグ５の情報を受け取り、既に搭載済みの貨物情報と集計して、１つのパレット全体の貨物情報として格納する（ステップ３０２）。
【００２１】
パレット１１への全ての貨物３の積み込みが終了するまでステップ３０１からの処理を繰り返し、次のステップへ進む（ステップ３０３）。パレット１１がトラック１５に積み込まれる際にパレットゲートシステム１２を通過すると、パレットゲートシステム１２のＢｌｕｅ  Ｔｏｏｔｈ端末１４は、パレット１１のＢｌｕｅ  Ｔｏｏｔｈ端末１３からパレット１１の貨物情報を読み取り、トラック１５のＢｌｕｅ  Ｔｏｏｔｈ端末１７へ送る（ステップ３０４）。
【００２２】
トラック１５のＢｌｕｅ  Ｔｏｏｔｈ端末１７は、パレット１１の貨物情報を受け取り、既に搭載済みの貨物情報と集計して、１台のトラック全体の貨物情報として格納すると同時に、トラック全体の貨物情報を既に搭載済みの全てのパレット１１のＢｌｕｅ  Ｔｏｏｔｈ端末１３に送る（ステップ３０５）。トラック１５への全てのパレット１１の積み込みが終了するまでステップ３０４からの処理を繰り返し、次のステップに進む（ステップ３０６）。
【００２３】
配送センター出発時に、トラック１５がゲートシステム１９ａを通過すると、ゲートシステム１９ａのＢｌｕｅ  Ｔｏｏｔｈ端末２１ａが、トラック１５のＢｌｕｅ  Ｔｏｏｔｈ端末１７から貨物情報を読み取り、発送側配送センターのコンピュータ２３ａへ送り、コンピュータ２３ａはトラック１５の貨物情報を貨物搭載情報データベース２５ａに書き込む（ステップ３０７）。
【００２４】
発送側配送センターを出発したトラック１５が、館外でパレット１１を小型トラックへ積み替えると、トラック１５のＢｌｕｅ  Ｔｏｏｔｈ端末１７は、降ろしたパレットの貨物情報を記憶し、同時に配送センターのコンピュータ２３ａに送信する（ステップ３０８）。トラック１５が、受取側配送センターに到着してゲートシステム１９ｂを通過すると、ゲートシステム１９ｂのＢｌｕｅ  Ｔｏｏｔｈ端末２１ｂが、トラック１５のＢｌｕｅ  Ｔｏｏｔｈ端末１７から貨物情報を読み取り、受取側配送センターのコンピュータ２３ｂへ送り、貨物搭載情報データベース２５を更新する（ステップ３０９）。
【００２５】
以上の処理手順により、トラック１５に搭載した個々の貨物の所在が、パレット単位で記憶され、発送側館内から館外、受取側館内を通して貨物情報が統一管理される。
【００２６】
【発明の効果】
以上説明したように、本発明によれば、貨物集荷から配送時における個々の貨物の所在管理と運搬後のルート追跡を容易に行うことができる、物流管理方法、及びシステムを提供することができる。
【図面の簡単な説明】
【図１】配送センター館内における物流管理システム１の構成を示す図。
【図２】発送側配送センターの館内、館外、及び受取側配送センターの館内における物流管理システム１の構成を示す図。
【図３】物流管理システム１における処理手順を示すフローチャート。
【符号の説明】
１…物流管理システム
３…貨物
５…ＩＣタグ
７…ＩＣタグゲートシステム
９…Ｂｌｕｅ  Ｔｏｏｔｈ端末
１１…パレット
１２…パレットゲートシステム
１３…Ｂｌｕｅ  Ｔｏｏｔｈ端末
１４…Ｂｌｕｅ  Ｔｏｏｔｈ端末
１５…トラック
１７…Ｂｌｕｅ  Ｔｏｏｔｈ端末
１９ａ、１９ｂ…ゲートシステム
２１…Ｂｌｕｅ  Ｔｏｏｔｈ端末
２３ａ、２３ｂ…コンピュータ
２５…貨物搭載情報データベース
２７…ネットワーク
【図１】
0004573423.tif 000002
【図２】
0004573423.tif 000003
【図３】
0004573423.tif 000004